(57)【要約】      （修正有）【課題】    木造軸組は、隅通しの中央部の横架材取り付き部の仕口欠損が、地震力に対して特に弱い。隅通し柱の工夫により、地震に強い木造軸組み住宅になる。【解決手段】    隅通し柱１を１本と添通し柱２を２本の３本を１組にした隅通し柱である。通し柱中央部の横架材取り付き部仕口欠損Ｘ軸  Ｙ軸２方向を添通し柱でそれぞれうける。隅通し柱は無欠損に近い状態に保持できる。柱と柱のズレ防止はダボソで、柱と柱の締め付けはボルト（Ｚマーク品）で締め付ける。この時ダボソとボルトは、柱脚部と柱頭部と中央部とその中間部の横架材の各上下面より２０ｃｍ以上３０ｃｍ以内の間に重ならないように設け、その他の部分は６０ｃｍ以内の間隔で設ける。また、柱脚部は添通し柱にそれぞれホールダウン金物ボルト止めとし、柱頭部は、隅通し柱はホソに込み栓打ち、添通し柱はそれぞれ半ホソ込み栓打ちと羽子板ボルトボルト止めとする。高い剛性が得られる。【選択図】図７
2007071000.tif 000002
【特許請求の範囲】
【請求項１】
木造軸組構造の隅通し柱であって隅通し柱１を１本と添通し柱２を２本の三本を一組にした隅通し柱。
【請求項２】
請求項１の隅通し柱で、その三本の柱の接合方法。
【請求項３】
隅通し柱であって通し柱１を１本と添半通し柱４を２本の三本を一組にした隅通し柱。
【請求項４】
請求項１の隅通し柱に１階小屋組大桁が取り付く側に添半管柱３を取り付けた隅通し柱組。
【請求項５】
請求項１の隅通し柱に耐力壁を配した軸組。
【発明の詳細な説明】
【技術分野】
【０００１】  本発明は、木造軸組構造の隅通し柱の工夫に関するもので、隅通し柱の剛性を高めて、地震にたいして安全な木造軸組住宅を提供する。
【背景技術】
【０００２】  従来から、木造軸組住宅は、通し柱の中央に２階の横架材取り付けの仕口加工による断面欠損ができる。特に隅通し柱には、この欠損による剛性低下が住宅の地震に対する安全性にとって問題である。【０００３】  従来より、添柱は大規模木造建物（保育園、小中学校などの洋小屋組）には隅以外の柱に使用されているので、隅以外の柱の工夫についてはふれない。【０００４】  建築基準法施行令第４７条前略、柱に取り付く横架材の丈が大きいこと、柱と鉄骨の横架材とが剛に接合していること等により構造耐力上支障のある局部応力が生ずるおそれがあるときは、当該柱を添え木等によって補強しなければならない。添通し柱とは限定はない。【０００５】  １９９５年阪神淡路大震災の後、木造の主要な継ぎ手および、仕口の指針では柱の引き抜け、防止、スジカイの接合部に金物使用などで、いまだ、隅通し柱と横架材の接合はボルトである。（告示  平成１２建告第１４６０号）【０００６】
【特許文献１】  特許広報（Ｂ２）特許番号第２８６９５７８号
【０００７】
【非特許文献１】  平成１２年６月改正建築基準法施行令第４７条
【発明の開示】
【発明が解決しようとする課題】
【０００８】  上述の如く、木造軸組においては、通し柱中央部の仕口欠損は地震に対して不安材料である。【０００９】  建築基準法施行令第４７号等により、柱の引き抜け防止、スジカイの接合部金物使用などで木造軸組は大幅に強度が改善されたが、建物はいつまでも新築ではなく、２０年３０年後には、強度は新築時より大幅に劣化していると思われ、その時期に建物の剛性の余力が問われるのである。
【課題を解決する手段】
【００１０】  請求項１の隅通し柱を図７の接合方法で接合する。通し柱中央部の仕口欠損を添通し柱２の２本で受け、隅通し柱は無欠損に近い状態に保持し、柱と柱のズレ防止はダホソで、柱と柱の締め付けはボルト（Ｚマーク品）で締め付ける。この時ダホソとボルトは柱脚部と柱頭部と中央部とその中間部の横材の各上下面より２０ｃｍ以上〜３０ｃｍ以内の間に重ならないように設け、その他の部位は６０ｃｍ以内の間隔で設ける。又、柱脚部は添通し柱２にそれぞれホールダウンボルト止めとし、柱頭部は隅通し柱はホソに込み栓打ち、添通し柱は半ホソに込み栓打ちと羽子板ボルト止めとする。この接合方法により、通し柱中央部の仕口欠損は添通し柱で補い、なおかつ三本の通し柱を合わせた剛性は大きくなり、剛性の余力ある隅通し柱となる。
【００１１】  請求項３は、隅通し柱中央部の仕口欠損を添半通し柱で受け、隅通し柱は無欠損に近い状態を保持し、図７の接合方法で接合することにより、隅通し柱自身の持つ剛性を保持する方法である。
【００１２】  請求項４は、請求項１の隅通し柱に１階小屋組の大桁が接合する場合で現実に多くあるケースである。この場合も、大桁の隅通し柱への取り付け仕口欠損を避けるために添半管柱を取り付けて欠損を吸収することにより剛性を保持する方法である。
【００１３】  請求項５は、請求項１の隅通し柱に図７の１方向又は２方向に耐力壁を配した軸組である。この組み合わせを４隅あるいは３隅に配した建物にすればより剛性が高くなる。壁組はすべて前に記した第４５条による接合方法であることが必須である。
【００１４】  図３，５，６は、住宅設計においてよく起こりうるケースでこの発明が対応できることを示したものである。たとえば、図６は添通し柱に直接掃き出し窓が取り付く場合でこの柱脚金物を使用することで、ホールダウン金物に替えることができる。
【発明の効果】
【００１５】  以上説明したように本発明は、隅通し柱の地震力による隅通し柱中央部の腰折れによる建物の崩壊事故から、人命、財産を護る優れた家屋とゆう財産を造ることができる。
【発明を実施するための最良の形態】
【００１６】  工務店や大工さんが、何時も使用している木材や部材で作ることが出来る。そして建築基準法に合った軸組に発明を合わせて剛性の高い建物となる。
１９９５年の阪神淡路大震災後、在来工法（木造軸組）は衰退の一途をたどっている。木造は地震に弱いとレッテルを貼られ、２０年後には無くなるかの様相は深刻である。
本発明が木造も強いことを知らしめて、木造復活を図れば、若い職人が育ち、強いては木の健全なライフサイクルも甦る。本発明は木造軸組の弱点を克服できる。
【図面の簡単な説明】
【００１７】
【図１】  本発明の第１の実施の形態に係る三本の通し柱を接合した隅通し柱の外観斜視図である。
【図２】  本発明の第４の実施の形態に係る図１の隅通し柱に１階小屋組の大桁が取り付く場合の外観斜視図である。
【図３】  図１の隅通し柱で和室である場合の和室仕上下地カキ取り部分を示す外観斜視図である。
【図４】  本発明の第３の実施の形態に係る図１の添通し柱を添半通し柱とした場合の外観斜視図である。
【図５】  図１の隅通し柱で１階が部屋内の場合の外観斜視図である。
【図６】  図１の隅通し柱で添通し柱に掃き出し窓が取り付く場合の柱脚金物図及び取り付け説明図である。
【図７】  本発明の第２の実施の形態に係る三本の隅通し柱とする接合方法の詳細図である。
【図８】  本発明の第５の実施の形態の係る本発明の第１に配する耐力壁の詳細図である。また、発明の全体の図でもある。
【符号の説明】
【００１８】
2007071000.tif 000003
【図１】
2007071000.tif 000004
【図２】
2007071000.tif 000005
【図３】
2007071000.tif 000006
【図４】
2007071000.tif 000007
【図５】
2007071000.tif 000008
【図６】
2007071000.tif 000009
【図７】
2007071000.tif 000010
【図８】
2007071000.tif 000011